(57)【要約】【課題】看板用照明器具において、器具を薄型化でき、且つ文字や図形等が印刷される拡散透光板における光ムラを抑制する。【解決手段】照明器具１は、箱形状の器具本体２と、器具本体２の開口部２１と対向する取付面２２に所定間隔で配置される複数の光源部３（ＬＥＤ３１）と、ＬＥＤ３１からの出射光を広角に配光する光学部材３２と、開口部２１に設けられる拡散透光板４１と、器具本体２内に設けられて光源部３を点灯駆動させる電源部５と、を備える。光源部３及び電源部５は、下記式（１）を満たすように形成及び配置されている。Ｙ≦Ｘ×ｔａｎθ＋Ｚ・・・（ただしθ＝１３°±２°）（１）、ここで、Ｘ＝個体発光素子の発光面の中心と電源部の中心との距離、Ｙ＝電源部の器具本体取付面からの高さ、Ｚ＝個体発光素子の発光面の器具本体取付面からの高さ、θ＝固体発光素子からの出射光の最大光束の方向とＺからの角度とする。【選択図】図７
2014086380.tif 000002
【特許請求の範囲】
【請求項１】
開口部を有する箱形状の器具本体と、該器具本体の前記開口部と対向する取付面に所定間隔で配置される複数の固体発光素子と、前記固体発光素子の光導出方向に夫々設けられて該個体発光素子からの出射光を広角に配光する光学部材と、前記開口部に設けられる拡散透光板と、前記器具本体内に設けられて前記固体発光素子を点灯駆動させる電源部と、を備えた看板用照明器具であって、
前記個体発光素子及び電源部は、下記式（１）を満たすように形成及び配置されていることを特徴とする看板用照明器具。
（数１）  Ｙ≦Ｘ×ｔａｎθ＋Ｚ  （ただしθ＝１３°±２°）・・・（１）
Ｘ＝個体発光素子の発光面の中心と電源部の中心との距離
Ｙ＝電源部の器具本体取付面からの高さ
Ｚ＝個体発光素子の発光面の器具本体取付面からの高さ
θ＝固体発光素子からの出射光の最大光束の方向とＺからの角度
【請求項２】
前記電源部は、前記個体発光素子に所定の電力を供給するための点灯回路と、前記点灯回路を収容する筐体と、を備え、
前記筐体は、前記器具本体に固定される平板状の取付部と、該取付部と共に前記点灯回路の収容空間を形成する半筒状のケース部と、を有することを特徴とする請求項１に記載の看板用照明器具。
【請求項３】
前記ケース部は、半角筒形状であり、前記拡散透光板側に配される角部が平面状又はＲ状に面取りされていることを特徴とする請求項２に記載の看板用照明器具。
【請求項４】
前記ケース部は、その長手方向に直交する断面形状が三角又は半円であることを特徴とする請求項２に記載の看板用照明器具。
【請求項５】
前記ケース部は、その長手方向に沿って複数の凹凸が形成されていることを特徴とする請求項２乃至請求項４のいずれか一項に記載の看板用照明器具。
【請求項６】
前記器具本体は、対峙する２面に前記開口部を夫々有し、
前記個体発光素子は、前記開口部と夫々対向して前記器具本体の内部空間を２つに仕切る仕切面の両面に配置されるていることを特徴とする請求項１乃至請求項５のいずれか一項に記載の看板用照明器具。
【請求項７】
前記複数の個体発光素子は、ハニカム状に配置されていることを特徴とする請求項１乃至請求項６のいずれか一項に記載の看板用照明器具。
【請求項８】
前記電源部の出力電流を切り替えるためのスイッチを更に備えることを特徴とする請求項１乃至請求項７のいずれか一項に記載の看板用照明器具。
【発明の詳細な説明】
【技術分野】
【０００１】
本発明は、光源として発光ダイオード（ＬＥＤ）を用いた看板用照明器具に関する。
【背景技術】
【０００２】
従来から、一方の面が開口した箱状の器具本体内に蛍光灯等の光源を備え、器具本体の開口に文字や図形等を印刷した拡散板を配し、光源からの光を、拡散板を透過して照射させることにより、拡散板に印刷された文字や図形を際立たせる看板用照明器具がある。しかし、この種の看板用照明器具に用いられる一般的な直管型蛍光灯の点灯寿命は１２，０００時間程度であり、定期的に蛍光灯を交換する必要がある。ところが、看板用照明器具は、ビルの外壁等の高所に取り付けられることが多く、蛍光灯の交換には専門の作業員による作業を要し、メンテナンス費が高くなることがあった。そこで、蛍光灯に代替する看板用照明器具の光源として、発光ダイオード（以下、ＬＥＤ）が注目されている。ＬＥＤは、低電力で高輝度の発光が可能であり、しかも長寿命であることから光源の交換頻度を少なくすることができる。
【０００３】
一般的に、ＬＥＤは、それ単体の発光光束が蛍光灯に比べて低いので、看板用照明器具の光源には複数のＬＥＤが用いられる。また、ＬＥＤは、前方への出射光の指向性が高いので、看板用照明器具の拡散透光板の光照射面において、ＬＥＤの直上部の輝度が局所的に高くなり、光ムラが生じることがある。そこで、複数のＬＥＤ間のスペースを埋めるように敷き詰められた光反射板を備え、ＬＥＤの発光部と光反射板との間に空隙を設けた照明器具が知られている（例えば、特許文献１参照）。この照明器具によれば、ＬＥＤから出射された光は、看板面である拡散板に達すると、一部が透過し、残りは内部に反射し、この内部に反射した光は光反射板により再び反射されて拡散板側へ戻る。これらの反射が繰り返されることにより、ＬＥＤからの出射光は拡散板全体に行き渡り、拡散板表面における光ムラを抑制することができる。
【先行技術文献】
【特許文献】
【０００４】
【特許文献１】特開２００６−２０２７２５号公報
【発明の開示】
【発明が解決しようとする課題】
【０００５】
しかしながら、上記特許文献１に記載の照明器具においては、拡散板及び光反射板間で反射を繰り返した光が器具内で減衰し、拡散板外へ出射されず、光利用効率が低下することがある。また、ＬＥＤからの出射光のうち、ＬＥＤの正面方向に向かう光は、拡散板に対する入射角が小さく、拡散板を透過し易いので、相対的にこの領域の輝度が高くなり易い。そこで、図１３に示す照明器具１０１では、ＬＥＤ１３１からの出射光を広角に配光する光学部材１３２を用いることにより、ＬＥＤ１３１からの出射光を拡散板１４１全体に行き渡らせることができる。ところが、照明器具１０１では、器具本体内に複数のＬＥＤ１３１を点灯駆動するための電源部１０５を配置する必要がある。このとき、ＬＥＤ１３１から光学部材１３２を介して広角に配光された光が、電源部１０５によって遮られて拡散板１４１（図中破線領域）に影ができることがある。
【０００６】
また、ＬＥＤを光源とする看板用照明器具では、器具の薄型化が望まれている。器具を薄型化するには、ＬＥＤの取付面と看板面である拡散透光板との距離を小さくし、ＬＥＤの出射光をより広角に配光する光学部材を用いる必要がある。しかしながら、光学部材を広角化するほど、光学部材からの出射光が電源部に当たり易くなり、拡散透光板における光ムラの原因となる。
【０００７】
本発明は、上記課題を解決するものであり、器具を薄型化でき、且つ文字や図形等が印刷される拡散透光板における光ムラを抑制することができる看板用照明器具を提供することを目的とする。
【課題を解決するための手段】
【０００８】
上記課題を解決するため、本発明は、開口部を有する箱形状の器具本体と、該器具本体の前記開口部と対向する取付面に所定間隔で配置される複数の固体発光素子と、前記固体発光素子の光導出方向に夫々設けられて該個体発光素子からの出射光を広角に配光する光学部材と、前記開口部に設けられる拡散透光板と、前記器具本体内に設けられて前記固体発光素子を点灯駆動させる電源部と、を備えた看板用照明器具であって、前記個体発光素子及び電源部は、下記式（１）を満たすように形成及び配置されていることを特徴とする。
（数１）  Ｙ≦Ｘ×ｔａｎθ＋Ｚ  （ただしθ＝１３°±２°）・・・（１）
Ｘ＝個体発光素子の発光面の中心と電源部の中心との距離
Ｙ＝電源部の器具本体取付面からの高さ
Ｚ＝個体発光素子の発光面の器具本体取付面からの高さ
θ＝固体発光素子からの出射光の最大光束の方向とＺからの角度
【０００９】
上記看板用照明器具において、前記電源部は、前記個体発光素子に所定の電力を供給するための点灯回路と、前記点灯回路を収容する筐体と、を備え、前記筐体は、前記器具本体に固定される平板状の取付部と、該取付部と共に前記点灯回路の収容空間を形成する半筒状のケース部と、を有することが好ましい。
【００１０】
上記看板用照明器具において、前記ケース部は、半角筒形状であり、前記拡散透光板側に配される角部が平面状又はＲ状に面取りされていることが好ましい。
【００１１】
上記看板用照明器具において、前記ケース部は、その長手方向に直交する断面形状が三角又は半円であることが好ましい。
【００１２】
上記看板用照明器具において、前記ケース部は、その長手方向に沿って複数の凹凸が形成されていることが好ましい。
【００１３】
上記看板用照明器具において、前記器具本体は、対峙する２面に前記開口部を夫々有し、前記個体発光素子は、前記開口部と夫々対向して前記器具本体の内部空間を２つに仕切る仕切面の両面に配置されるていることが好ましい。
【００１４】
上記看板用照明器具において、前記複数の個体発光素子は、ハニカム状に配置されていることが好ましい。
【００１５】
上記看板用照明器具において、前記電源部の出力電流を切り替えるためのスイッチを更に備えることが好ましい。
【発明の効果】
【００１６】
本発明によれば、電源部の器具本体の取付面からの高さＹを、式（１）を満たすようにすれば、その高さＹには、光学部材によって広角に配光された光は届かない。従って、光学部材が広角化しても、光学部材からの光が電源部に当たり難くなり、拡散透光板の表面における光ムラを抑制することができる。また、より広角化された光学部材を用いることができるので、器具本体の取付面と、拡散透光板との間隔を短くしても、ムラが生じ難く、器具を薄型化することができる。
【図面の簡単な説明】
【００１７】
【図１】（ａ）は本発明の一実施形態に係る看板用照明器具の一部分解斜視図、（ｂ）は正面図。
【図２】同看板用照明器具の回路構成図。
【図３】（ａ）は同看板用照明器具に用いられる光源部の正面図、（ｂ）は長手方向の側面図、（ｃ）は短手方向の側面図。
【図４】同光源部の側断面図。
【図５】同光源部による配光曲線を示す図。
【図６】（ａ）は同看板用照明器具に用いられる電源部の正面図、（ｂ）は短手方向の一側面図、（ｃ）は長手方向の側面図、（ｄ）は短手方向の他側面図。
【図７】上記看板用照明器具の部分側断面図。
【図８】上記看板用照明器具の部分側面図。
【図９】（ａ）乃至（ｄ）は同電源部の形状のバリエーションを示す図。
【図１０】（ａ）は上記看板用照明器具の端部に電源部を配した構成を示す部分側断面図、（ｂ）は（ａ）とは別の電源部の配置構成を示す側断面図。
【図１１】上記実施形態の変形例に係る看板用照明器具の側断面図。
【図１２】更に別の変形例に係る看板用照明器具の正面図。
【図１３】従来の看板用照明器具の部分側断面図。
【発明を実施するための形態】
【００１８】
本発明の一実施形態に係る看板用照明器具（以下、照明器具）について、図１乃至図１０を参照して説明する。図１（ａ）に示すように、本実施形態の照明器具１は、箱形状の器具本体２と、器具本体２に形成された開口部２１と対向する取付面２２に一定間隔で配置される複数の光源部３と、開口部２１に設けられる看板パネル４と、を備える。また、照明器具１は、器具本体２内に設けられて光源部３の固体発光素子（ＬＥＤ）を点灯駆動させる電源部５を更に備える。
【００１９】
器具本体２は、矩形の取付面２２の４辺から夫々側面２３が立設されて、側面２３の周縁により開口部２１が形成される。取付面２２は、複数枚の板材から構成されていてもよく、例えば、照明器具１の外郭を成す部材と、その内側に配されて光源部３が固定される部材との組み合わせが挙げられる。取付面２２には、複数の光源部３を所定位置に固定するためのネジ孔（不図示）が所定間隔で形成されている。また、取付面２２又は側面２３の内側面には、電源部５を固定するための固定孔（不図示）が形成されている。器具本体２は、所定の剛性を有するアルミニウム板又は鋼板等の板材を、上記形状にプレス及び切削加工することにより形成される。取付面２２及び側面２３の内側面は、可視光の反射率が高い白色塗料が塗布、又は反射性金属材料が蒸着され、それらの表面における光反射率が８０％程度であることが好ましく、照明器具１の用途及び使用環境等に応じて９０％程度であってもよい。
【００２０】
看板パネル４は、文字や図形等が印刷される矩形平板形状の拡散透光板４１と、この拡散透光板４１を器具本体２の開口部２１に取り付けるための枠材４２と、を有する。拡散透光板４１は、例えば、アクリル樹脂等の透光性材料に光拡散性粒子又は顔料等を添加した樹脂材料から形成される。拡散透光板４１は光透過率５５〜６５％、光反射率３５〜４５％、拡散係数０．８〜０．９となるように形成されることが好ましい。拡散透光板４１は、上記の光拡散性粒子又は顔料等の添加に換えて、透明なガラス板又は樹脂板の表面又は裏面に、サンドブラスト処理を施して粗面としたもの、又はシボ加工を施したもの等であってもよい。枠材４２は、器具本体２と同様の材料により形成される。枠材４２と開口部２１との間には、器具本体２内への水の浸入を防止するパッキン部材等が配されてもよい。
【００２１】
図１（ｂ）及び図２に示すように、各光源部３は、夫々リード線６１により直列に接続される。直列接続された光源部３の一方の端部には、電源部５の一方の端部から導出された出力電線５１に電源側コネクタ５２を介して接続される中継コネクタ６２が設けられ、他方の端部には、別の照明器具から導出されたリード線６１と接続するための中継コネクタ６２が設けられる。電源側コネクタ５２と中継コネクタ６２との間に延長電線（不図示）が設けられててもよい。電源部５の他方の端部からは、入力電線５３が導出され、この入力電線５３が商用電源ＡＣに接続される。また、この他方の端部からは、信号線５４及びアース線５５が導出され、これら信号線５４及びアース線５５は、器具本体に形成された挿通孔（不図示）を介して器具外に取り出される。信号線５４は、商用電源ＡＣに接続されて電源部５に出力電圧を切り替えを指令する信号を出力するスイッチＳＷに接続される。アース線５５は、照明器具１の施工箇所に設けられた所定のアース配線（不図示）に接続される。
【００２２】
図３（ａ）乃至（ｃ）に示すように、光源部３は、固体発光素子（ＬＥＤ）３１と、ＬＥＤ３１の光導出方向に夫々設けられてＬＥＤ３１からの出射光を広角に配光する光学部材３２と、ＬＥＤ３１及び光学部材３２を保持するベースユニット３３と、を備える。ベースユニット３３は、側面に設けられてリード線６１を接続するための入力端子３３ａ及び出力端子３３ｂと、器具本体２にベースユニットをネジ止めするためのネジ孔３３ｃと、を有する。また、図４に示すように、ベースユニット３３は、ＬＥＤ３１を実装するための実装面３３ｄを有し、この実装面３３ｄには入力端子３３ａ及び出力端子３３ｂと夫々電気的に接続されたランド部（不図示）が形成されている。
【００２３】
ＬＥＤ３１は、ＬＥＤチップの出射光の波長を変換する波長変換部材が被覆されて、ＬＥＤパッケージとして構成される。このＬＥＤパッケージの大きさは、例えば、２ｍｍとされる。ＬＥＤ３１は、照明器具１として所望の光色の発光を可能とする光源であれば特に限定されないが、発光ピーク波長が４６０ｎｍの青色光を放射するＧａＮ系青色ＬＥＤチップに、ＹＡＧ系蛍光体を被覆した、いわゆる白色ＬＥＤが好適に用いられる。ＬＥＤ１の実装方法としては、例えば、ＬＥＤ３１が素子上面に陽極及び陰極の各電極が設けられた、いわゆるフェイスアップ型素子であれば、ワイヤボンディングにより実装される。具体的には、ＬＥＤ３１が実装面３３ｄ上にダイボンド材によって接合され、ＬＥＤ３１の素子上面に設けられた各電極を、実装面３３ｄ上に設けられたランド部に、ワイヤを用いて結線される。なお、ＬＥＤ３１が下面側に電極を配したフェイスダウン式素子であれば、例えば、フリップチップ実装によりＬＥＤ３１がベースユニット３３に実装される。
【００２４】
光学部材３２は、アクリル樹脂、シリコーン樹脂又はガラス等の透光性材料から形成されたレンズであり、ＬＥＤ３１及び実装面３３ｄを覆うように配され、且つ実装面３３ｄの周縁部よりも外周側に延設されている。光学部材３２は、ＬＥＤ３１からの出射光を入射する半円形状の入射面３２ａと、入射面３２ａからの入射光を屈折して出射する出射面３２ｂと、を有する。出射面３２ｂは、ＬＥＤ３１からの出射光の最大光束の方向（発光面の中心と通る法線Ｌ）の周囲が凹状となるように、その周囲が凸状となるように形成されている。この形状によれば、出射面３２ｂの凹状箇所は、光が外周方向へ拡散するよう屈折させ、出射面３２ｂの凸状箇所は、光を集光させるように屈折される。その結果、図５に示すように、光学部材３２からの出射光は、いわゆるバッドウィング型と呼ばれる配光曲線を示し、光学部材３２は、ＬＥＤ３１から出射光を広角に配光することができる。
【００２５】
再び図２を参照して、電源部２は、ＬＥＤ３１に所定の電力を供給するための点灯回路５６と、点灯回路５６を収容する筐体５７と、を備える。点灯回路５６には、商用電源ＡＣの交流電流を直流電流に変換するＡＣ／ＤＣコンバータ、平滑化のためのコンデンサ、及びＬＥＤ３１に供給される所要の直流電圧を生成するトランス等が、所定の回路基板（不図示）上に実装される。また、電源部５には、光源部３へ出力される調光信号の出力を制御する汎用のマイコン等から成る制御部（不図示）が含まれる。
【００２６】
図６（ａ）乃至（ｄ）に示すように、筐体５７は、器具本体２に固定される平板状の取付部５８と、取付部５８と共に点灯回路５６の収容空間を形成する半筒状のケース部５９と、を有する。また、電源部５は、その長手方向の両端面に入力電線５３及び出力電線５１等が設けられている。
【００２７】
本実施形態において、ケース部５９は、半角筒形状であり、看板パネル４に配される角部が平面状に面取りされており、その長手方向に直交する断面形状が台形とされている（特に、図６（ｂ）（ｄ）参照）。これら取付部５８及びケース部５９は、アルミ等の金属板から形成される。ケース部５９の外表面は、光散乱性を有するように形成され、また、その長手方向に沿って複数の凹凸５９ａが形成されている（特に、図６（ｃ）参照）。これにより、ケース部５９の表面積が大きくなり、点灯回路５６で発生した熱を効率的に放熱することができる。また、この箇所に光源部３からの出射光が電源部５に当たっても、その光が器具本体２内に散乱するので、看板パネル４の拡散透光板４１の表面に色ムラを生じさせ難くすることができる。
【００２８】
また、図７に示すように、光源部３及び電源部５は、下記式（１）を満たすように形成及び配置されている。なお、同図では、複数列に配列された光源部３の間に電源部５が配置された構成を示す。
【００２９】
（数１）  Ｙ≦Ｘ×ｔａｎθ＋Ｚ  （ただしθ＝１３°±２°）・・・（１）
Ｘ＝光源部（個体発光素子）の発光面の中心と電源部の中心との距離
Ｙ＝電源部の器具本体取付面からの高さ
Ｚ＝光源部（個体発光素子）の発光面の器具本体取付面からの高さ
θ＝固体発光素子からの出射光の最大光束の方向とＺからの角度
【００３０】
光学部材３２によって広角に配光された光の最大照射方向は、ＬＥＤ３１からの出射光の最大光束の方向（法線Ｌ）に対して約７７°である。従って、上記式（１）において、θ＝１３°（±２°）に設定し、電源部５の器具本体２の取付面２２からの高さＹを、上記式（１）を満たすようにすれば、その高さＹには、光学部材３２によって広角に配光された光は届かない。ここで、光源部３の発光面の中心と電源部５の中心との距離Ｘは、ＬＥＤ３１の出力及び照明器具１に必要とされる輝度に応じて定められ、７５〜１２５ｍｍであることが望ましい。光源部３の発光面の、器具本体２の取付面２２からの高さＺは、通常５〜１５ｍｍである。また、電源部５の器具本体２の取付面２２からの高さＹは、２５〜５０ｍｍとされることが好ましい。
【００３１】
電源部５の器具本体２の取付面２２からの高さが上記式（１）を満たせば、電源部５の断面形状は、図中の実線で示した台形形状に限らず、例えば、一点鎖線及び二点鎖線で示したような矩形状であってもよい。ただし、一点鎖線で示したような断面矩形状の電源部５においては、点灯回路５６に高さのある回路素子を組み込み難くなる。また、二点鎖線で示したような断面矩形状の電源部５においては、点灯回路５６の回路面積が小さくなるので、点灯回路５６に実装面積の大きな回路素子を組み込み難くなる。これに対して、実線で示した断面台形形状の電源部５によれば、点灯回路５６に実装面積の大きな回路素子を組み込み易く、また、点灯回路５６の回路基板の中央に高さのある回路素子を組み込み易い。
【００３２】
図８に示す構成例では、光源部３の発光面の中心と電源部５の中心との距離Ｘが１２５ｍｍであり、電源部５の器具本体２の取付面２２からの高さＹが３１ｍｍである。そして、光学部材３２によって広角に配光された光の最大照射方向が、ＬＥＤ３１からの出射光の最大光束の方向（法線Ｌ）に対し７６°であり、θ＝１４°となる。ここで、電源部５のケース部５９は、看板パネル４に配される角部が平面状に面取りされているので、光学部材３２によって広角に配光された光は、ケース部５９に当たらず、看板パネル４に照射される。つまり、ケース部５９の角部を面取りすることにより、光学部材３２がより広角化しても、光学部材３２からの光が電源部５に当たり難くなり、看板パネル４の拡散透光板４１の表面における光ムラを抑制することができる。また、光学部材３２により広角化したレンズを用いることができるので、器具本体２の取付面２２と拡散透光板４１との間隔を短くしても、光ムラが生じ難く、器具を薄型化することができる。
【００３３】
なお、ケース部５９の角部の面取りは、図９（ａ）に示すようにな平面状に限らず、図９（ｂ）に示すように、Ｒ状とされていてもよい。このとき、Ｒ５以上の曲率で面取りされることが好ましい。また、ケース部５９は、その長手方向に直交する断面形状が、図９（ｃ）に示すような三角形、又は図９（ｄ）に示すような半円形であってもよい。こうすることで、光学部材３２からの光が電源部５に当たり難くなり、看板パネル４の拡散透光板４１における光ムラを抑制することができる。
【００３４】
上述した図７では、複数列に配列された光源部３の間に電源部５が配置された構成を示したが、電源部５は、図１０（ａ）（ｂ）に示すように、器具本体２の隅部に配置されてもよい。電源部５の配置方向は、図１０（ａ）に示すように、取付部５８が器具本体２の取付面２２に向く配置であってもよいし、図１０（ｂ）に示すように、取付部５８が器具本体２の側面２３に向く配置であってもよい。また、図示したように、光源部３と電源部５との距離が短い場合であっても、ケース部５９の角部が面取りされていることにより、この面が光学部材３２から光を看板パネル４側へ効果的に反射することができる。
【００３５】
また、照明器具１は、上記図２に示したように、商用電源ＡＣに接続されて電源部５からの出力電流を切り替えるスイッチＳＷを更に備える。このスイッチＳＷは、器具本体２の外側に設けらた手動切り替えスイッチであってもよいし、タイマを内蔵し、所定の時間になったときに、上記出力電圧を切り替える指令信号を出力するものであってもよい。スイッチＳＷから出力された指令信号は、電源部５に内蔵された制御部（不図示）に入力される。制御部は、例えば、スイッチＳＷからの指令信号があるとき、光源部３のＬＥＤの点灯出力を５０％に、指令信号がないとき、光源部３のＬＥＤ３１の点灯出力を１００％に設定する。こうすることで、照明器具１は、光源部３の明るさを２段階で切り替える段調光を行うことができる。
【００３６】
看板用照明器具は、例えば、周囲が明るい夕方は光源部の点灯出力を高くし、周囲が十分に暗くなった深夜では、光源部の点灯出力を低くする。これにより、無駄な消費電力を抑制し、効率的に点灯させて看板を際立たせることができる。そして、一般的には、一部の光源部を点灯又は消灯させる、いわゆる間引き点灯が行われる。しかし、この場合、点灯している光源部の間隔が大きくなるので、看板パネル４の拡散透光板４１における光ムラが生じ易くなる。また、各光源部の回線が煩雑になる。これに対して、本実施形態の照明器具１では、電源部５に直列に接続された全ての光源部３が、上記２段階のいずれかの点灯出力で一定の明るさで点灯するので、看板パネル４において光ムラは生じ難い。また、各光源部３の回線を簡易とすることができる。
【００３７】
次に、上記実施形態の変形例に係る照明器具について、図１１を参照して説明する。この変形例に係る照明器具１は、器具本体２が、対峙する２面に拡散透光板４１（及び開口部）を夫々有し、光源部３は、拡散透光板４１と夫々対向して器具本体２の内部空間を２つに仕切る仕切面２４の両面に配置されている。この構成によれば、両面に光が照射されるので、例えば、駅の時刻表看板に適した看板用照明器具を得ることができる。なお、光源部３の数が所定数であれば、電源部５はいずれかの面に１個配置されればよい。
【００３８】
次に、上記実施形態の別の変形例に係る照明器具について、図１２を参照して説明する。この変形例に係る照明器具１は、光源部３が、にハニカム状に配置されている。こうすれば、図１１に示したように、仕切面２４の両面に光源部３を配置したときに、光源部３の位置が重複しない。そのため、光源部３に熱が篭り難くなり、光源部３のＬＥＤ３１の熱による発光効率の低下を抑制することができる。
【００３９】
なお、本発明は、上述した実施形態に限らず、種々の変形が可能である。例えば、電源部５から２本以上の信号線を導出し、それらを複数のスイッチに接続して、電源部５に複数種の指令信号が入力されるようにすることで、３段以上の段調光を行うこともできる。また、光源部３のＬＥＤ３１をＰＷＭ信号により、矩形波のオンデューティ比に応じて連続的に点灯電流を設定できるようにしてもよい。また、光源部３の数に応じて、点灯回路５６に用いられる回路素子の数も異なり、それを収容する電源部５の筐体５７（ケース部５９）の大きさ、特に、長手方向の大きさは適宜に設定され得る。
【符号の説明】
【００４０】
１    照明器具（看板用照明器具）
２    器具本体
２１    開口部
２２    取付面
２４    仕切面
３１    ＬＥＤ（固体発光素子）
３２    光学部材
４１    拡散透光板
５    電源部
５６    点灯回路
５７    筐体
５８    取付部
５９    ケース部
５９ａ    凹凸
ＳＷ    スイッチ
Ｘ    光源部の発光面の中心と電源部の中心との距離
Ｙ    電源部の器具本体取付面からの高さ
Ｚ    光源部の発光面の器具本体取付面からの高さ
【図１】
2014086380.tif 000003
【図２】
2014086380.tif 000004
【図３】
2014086380.tif 000005
【図４】
2014086380.tif 000006
【図５】
2014086380.tif 000007
【図６】
2014086380.tif 000008
【図７】
2014086380.tif 000009
【図８】
2014086380.tif 000010
【図９】
2014086380.tif 000011
【図１０】
2014086380.tif 000012
【図１１】
2014086380.tif 000013
【図１２】
2014086380.tif 000014
【図１３】
2014086380.tif 000015